(57)【要約】【課題】  相手先に返信を行う際に見栄えの良い画情報を送信することが可能なファクシミリ装置を提供する。【解決手段】  制御部１０１は、Ｓ５ステップにおいて入力部１１０から受信画像を表示するよう指示する操作があると判定すると、Ｓ６ステップで画情報メモリ１０５に格納されている受信した画情報を読み出して表示部１０９に表示させ、Ｓ７ステップにおいて、メモボタンの押下を検出し、Ｓ８ステップにおいてセットされている普通紙に受信した画情報の縮小処理をし、その画情報の下側にメモ欄を付加して、Ｓ９ステップにおいて印刷を行う。【選択図】  図３
2011244203.tif 000002
【特許請求の範囲】
【請求項１】
普通紙に印刷可能なファクシミリ装置であり、
画情報を格納する格納手段と、
前記格納手段に格納されている画情報を印刷する印刷手段と、
入力手段と、
前記入力手段からの操作に基づいて、前記格納手段に格納されている画情報を縮小した縮小画像にメモ欄を付加して印刷するように前記印刷手段を制御する制御手段と、を有することを特徴とするファクシミリ装置。
【発明の詳細な説明】
【技術分野】
【０００１】
本発明はファクシミリ装置に関する。
【背景技術】
【０００２】
従来のファクシミリ装置では、受信側のファクシミリ装置は、受信した画情報をそのまま記録紙に印刷するようになっている。このようなファクシミリ装置では、受信側のユーザは、印刷された用紙にコメントを記入して送信側に返信する場合に、印刷された用紙の余白等にコメントや意見を記入し返信していた。この為、相手先に見栄えの良い画情報を送信することができなかった。
【０００３】
また、例えば引用文献１には、横方向にセットされた原稿を読み込み、読み込んだ画情報を９０度回転させて縦方向の画情報で送信する技術が記載されている。
【先行技術文献】
【特許文献】
【０００４】
【特許文献１】特開平６−１２１１４９号公報
【発明の概要】
【発明が解決しようとする課題】
【０００５】
この引用文献１に記載の技術においてもまた、受信側がコメントを記載して返信する際には余白部分にコメントを記載する必要があるため、上述したような相手先に見栄えの良い画情報を送信することができなかったという課題は未だ解決されていない。
【課題を解決するための手段】
【０００６】
本発明はこのような課題を解決するためのものであり、本願発明は、普通紙に印刷可能なファクシミリ装置であり、画情報を格納する格納手段と、前記格納手段に格納されている画情報を印刷する印刷手段と、入力手段と、前記入力手段からの操作に基づいて、前記格納手段に格納されている画情報を縮小した縮小画像にメモ欄を付加して印刷するように前記印刷手段を制御する制御手段と、を有することを特徴とする。
【発明の効果】
【０００７】
本発明では、簡単な操作で、送信側から送られてくるデザイン図、設計図、写真等の画情報を受信側で自動的に縮小し、その縮小した画情報の下側にコメントを記入するメモ欄を作成して印刷することが可能である。このため、受信側のユーザは、印刷された普通紙のメモ欄に意見等を記入して返信できるため、相手先に見栄えの良い返信画情報を送信することが可能となる。
【図面の簡単な説明】
【０００８】
【図１】本発明を適用してなる実施例装置の斜視図である。
【図２】本発明を適用してなる実施例装置のブロック図である。
【図３】本発明を適用してなる実施例装置の動作を示すフロー図である。
【図４】送信画情報と受信側で印刷された普通紙の一例を示す図である。
【発明を実施するための形態】
【０００９】
以下、本発明を適用してなる実施例装置であるファクシミリ装置について説明する。尚、本実施例装置はファクシミリ装置について実施しているが、ファクシミリ機能を搭載したコピー機、プリンタ等にも同様に本発明を適用することが可能である。
【実施例】
【００１０】
本発明を適用してなる実施例装置であるファクシミリ装置１０の斜視図を図１に示す。ファクシミリ装置１０は、ＦＡＸ番号や氏名等の文字を表示する表示部１０９、テンキーや各種キー等からなる入力部１１０、ファクシミリ装置１０へ普通紙をセットする際に、普通紙を受ける収納部１１２等を有している。
【００１１】
次に、本発明の実施例にかかるファクシミリ装置１０の構成を示すブロック図を図２に示す。
【００１２】
制御部１０１は、ファクシミリ装置１０の各回路と接続され、ＲＯＭ（Ｒｅａｄ  Ｏｎｌｙ  Ｍｅｍｏｒｙ）１０６に格納されている各種制御プログラムに基づいて動作する。
【００１３】
網制御部１０２は、電話回線Ｌと接続されており、回線からの着信信号の検出機能や、回線の極性反転を検出する機能、入力部１１０から入力された電話番号やファクシミリ番号を回線Ｌへ送出する機能等を有する。
【００１４】
モデム１０３は、制御部１０１と接続されており、電話回線Ｌを介してファクシミリ制御信号の送受信を行う機能や、画情報の変調、復調、更には符号化、復号化の機能を有する。具体的には、画情報をＭＨ（Ｍｏｄｉｆｉｅｄ  Ｈｕｆｆｍａｎ）、ＭＲ（Ｍｏｄｉｆｉｅｄ  ＲＥＡＤ）、ＭＭＲ（Ｍｏｄｉｆｉｅｄ  Ｍｏｄｉｆｉｅｄ  ＲＥＡＤ）等の符号化あるいは、これらの符号化データを復号化する機能を有する。
【００１５】
読み取り部１０４は、制御部１０１と接続されており、原稿を読み取るイメージスキャナー等で構成されている。
【００１６】
画情報メモリ１０５は、例えばフラッシュメモリからなり、電話回線Ｌを介して受信された画情報データや読み取り部１０４により読み取られた画情報データを格納する。
【００１７】
ＲＯＭ（Ｒｅａｄ  Ｏｎｌｙ  Ｍｅｍｏｒｙ）１０６は、制御部１０１と接続されており、ファクシミリ装置を動作させる為の制御プログラムを格納する。
【００１８】
ＲＡＭ（Ｒａｎｄｏｍ  Ａｃｃｅｓｓ  Ｍｅｍｏｒｙ）１０７は、制御部１０１と接続され、電話番号や氏名等の電話帳画情報等を格納する。
【００１９】
バッファメモリ１０８は、例えばフラッシュメモリからなり、画情報メモリ１０５に格納されている画情報を展開し、画情報データを縮小し、縮小された画情報データにメモ書きを可能とするメモ欄を付加し、その画情報データを印刷部１１１へ出力するためのメモリである。
【００２０】
表示部１０９は、制御部１０１と接続されており、例えば、ＬＣＤ（Ｌｉｑｕｉｄ  Ｃｒｙｓｔａｌ  Ｄｉｓｐｌａｙ）等の液晶ディスプレイパネル等からなり、制御部１０１からの制御信号に応じて、現在の通信状態やダイヤル入力時における相手先のＦＡＸ番号など各種のテキスト情報を表示する。
【００２１】
入力部１１０は、制御部１０１と接続されており、テンキーやファクシミリを開始するためのスタートキー、通話を開始するための通話キー、通話を終了するための切キー、機能キー、選択キー、受信した画情報データにメモ欄を付加した画情報データの印刷出力を行う為のメモボタン、等のキーからなる。
【００２２】
印刷部１１１は、制御部１０１と接続されており、バッファメモリ１０８に一時的に蓄積された画情報等を印刷する。
【００２３】
収納部１１２は、制御部１０１と接続されており、Ａ４サイズの普通紙をセットすることが可能なトレーである。
【００２４】
センサ部１１３は、制御部１０１と接続されており、収納部１１２に普通紙がセットされたことを検出する。
【００２５】
次に、本実施例に係わるファクシミリ装置の動作について、図３のフロー図に基づいて説明する。
【００２６】
Ｓ１ステップにおいて、制御部１０１は、網制御部１０２が回線から着信信号を検出したと判定すると、Ｓ２ステップへ処理を進める。
【００２７】
Ｓ２ステップにおいて、制御部１０１は、モデム１０３を制御することにより、モデム１０３は、電話回線Ｌからのファクシミリ制御信号の受信と続いて回線Ｌから受信した画情報の復調及び復号化を行う。
【００２８】
Ｓ３ステップにおいて、制御部１０１は、Ｓ２ステップにて受信した画情報を画情報メモリ１０５に格納する。
【００２９】
Ｓ４ステップにおいて、制御部１０１は、表示部１０９にファクシミリ受信があった旨を示すメッセージ、例えば、「ファクシミリ受信あり」を表示させ、Ｓ５ステップへ処理を進める。
【００３０】
Ｓ５ステップにおいて、制御部１０１は、入力部１１０から受信画像を表示するよう指示する操作があると判定すると、Ｓ６ステップへ処理を進め、そうでなければ、Ｓ４ステップへ処理を戻す。尚、図示してはいないが、Ｓ４ステップへ処理を戻す際にファクシミリ受信や他の電話着呼、或いは電話発呼の指示等があればその動作を実行する。
【００３１】
Ｓ６ステップにおいて、制御部１０１は、画情報メモリ１０５に格納されている受信した画情報を読み出して表示部１０９に表示させ、Ｓ７ステップへ処理を進める。
【００３２】
Ｓ７ステップにおいて、制御部１０１は、入力部１１０にてメモボタンが押下されたと判定するとＳ８ステップへ処理を進め、そうでなければＳ１０ステップへ処理を進める。
【００３３】
Ｓ８ステップにおいて、制御部１０１は、画情報メモリ１０５に蓄積された画情報をバッファメモリ１０８に展開して、バッファメモリ１０８上で画情報の縮小処理を行い、更に、その画情報の下側にメモ欄を付加して画情報を作成する（図４参照）。
【００３４】
Ｓ９ステップにおいて、制御部１０１は、Ｓ８ステップにて処理された画情報を印刷部１１２へ送信し、印刷部１１２に画情報を印刷させる。Ｓ９ステップの処理を行なうことにより、縮小された画情報とメモ欄とが印刷された普通紙が排出されることになる。
【００３５】
Ｓ１０ステップにおいて、制御部１０１は、Ｓ８ステップにて処理された画情報を印刷部１１２へ送信し、印刷部１１２に画情報を印刷させる。Ｓ１０ステップの処理を行なうことにより、画像が縮小又は拡大されていない画情報が印刷された普通紙が排出されることになる。
【００３６】
図４は、送信側から送られる画情報と、受信側で受信し印刷した普通紙を示している。この場合は、受信側ユーザは、入力部１１０のメモボタンを押下するだけで、縮小された受信画像とその下側にメモ欄を付加して印刷することが可能である。その活用方法として例えば、送信側がお弁当屋さんであった場合は、送信側で、その日の弁当の写真を載せたメニュー送信し、会社等の受信側で、メモ欄に選んだ弁当の注文数を記入して、そのまま、送信側へ返信するといった方法が挙げられる。
【符号の説明】
【００３７】
１０・・・・・ファクシミリ装置
１０１・・・・制御部
１０２・・・・網制御部
１０３・・・・モデム
１０４・・・・読み取り部
１０５・・・・画情報メモリ
１０６・・・・ＲＯＭ
１０７・・・・ＲＡＭ
１０８・・・・バッファメモリ
１０９・・・・表示部
１１０・・・・入力部
１１１・・・・印刷部
１１２・・・・収納部
１１３・・・・センサ部
【図１】
2011244203.tif 000003
【図２】
2011244203.tif 000004
【図３】
2011244203.tif 000005
【図４】
2011244203.tif 000006